(57)【特許請求の範囲】
【請求項１】
側端部に係合軸を上下方向に伸縮させる軸伸縮機構を配設した間仕切パネルと、両側面に係合溝を形成した係合用パネルジョイントとを備え、隣接する間仕切パネルを係合用パネルジョイントの両側部に形成した連結軸挿通孔に連結軸を挿通して回動自在に連結し、前記係合軸を前記係合溝に係合自在とすることにより隣接する間仕切パネルを所定角度に設定可能としたことを特徴とする間仕切パネルの連結構造。
【請求項２】
前記間仕切パネルの側面は、板厚の略１／２の曲率半径を有する円弧状曲面であることを特徴とする請求項１に記載の間仕切パネルの連結構造。
【請求項３】
前記係合用パネルジョイントは、幅方向に分割したジョイント分割体からなることを特徴とする請求項１又は２に記載の間仕切パネルの連結構造。
【請求項４】
隣接する間仕切りパネルにおいて、前記軸伸縮機構の操作部を互いに反対表面に位置するように配設したことを特徴とする請求項１乃至３のいずれかに記載の間仕切りパネルの連結構造。
【発明の詳細な説明】
【０００１】
【発明の属する技術の分野】
本発明は、間仕切壁を構成する間仕切パネル同士を回動自在に連結する間仕切パネルの連結構造に関する。
【０００２】
【従来の技術】
従来より、簡易に室内空間を間仕切るものとして、間仕切パネル同士を回動自在に連結して間仕切壁を構成するものが知られている。
図１４に示す間仕切壁１００は、間仕切パネル１０１，１０１の側端部１０２，１０２に断面円形状の連結溝１０３，１０３を形成し、連結材１０４の円柱状の嵌合部１０５，１０５を連結溝１０３，１０３に嵌合することにより、間仕切パネル１０１，１０１同士を回動自在に連結している（特開平９- １９５４２５号公報参照）。
又、連結溝１０３の内周面に形成した係合凹部１０６，・・・に嵌合部１０５の外周面に形成した係合凸部１０７，・・・を係合することにより、間仕切パネル１０１，１０１を所定角度に設定できるようにしてある。
【０００３】
【発明が解決しようとする課題】
しかし、上記間仕切壁１００では、連結溝１０３の開口部１０８は狭幅としてあり、連結材１０４の結合部１０９が開口部１０８の内壁面に当接してしまうため、間仕切パネル１０１の回動角度は小さく、間仕切パネル１０１，１０１を直角に設定したり、パネル表面１１０，１１０同士を当接して折り畳むことはできなかった。
よって、間仕切パネル１０１，１０１を種々角度に設定して室内空間を適宜形状に間仕切ることはできず、又、間仕切パネル１０１，１０１を折り畳んでコンパクトに収納することもできなかった。
【０００４】
本発明は、かかる従来における問題点を解決すべく為されたものであり、その目的とするところは、間仕切パネルを種々角度に設定して室内空間を適宜形状に間仕切ることができ、又、間仕切パネルを折り畳んでコンパクトに収納することもできる間仕切パネルの連結構造を提供することにある。
【０００５】
【課題を解決するための手段】
上記目的を達成するべく、本発明の間仕切パネルの連結構造は、側端部に係合軸を上下方向に伸縮させる軸伸縮機構を配設した間仕切パネルと、両側面に係合溝を形成した係合用パネルジョイントとを備え、隣接する間仕切パネルを係合用パネルジョイントの両側部に形成した連結軸挿通孔に連結軸を挿通して回動自在に連結し、前記係合軸を前記係合溝に係合自在とすることにより隣接する間仕切パネルを所定角度に設定可能としたことを特徴とするものである。
【０００６】
かかる間仕切パネルの連結構造によれば、間仕切パネルは係合用パネルジョイントを介して回動自在に連結され、隣接する間仕切パネル間の為す角度を適宜設定することができ、間仕切パネルを直線状に設定したり、間仕切パネルのパネル表面同士を当接させて折り畳むこともできる。
【０００７】
ここで、間仕切パネルの側面を板厚の略１／２の曲率半径を有する円弧状曲面とすれば、間仕切パネルと係合用パネルジョイントとが当接することなく、間仕切パネル間の為す角度を適宜設定することができる。
【０００８】
又、前記係合用パネルジョイントを幅方向に分割したジョイント分割体から構成すれば、間仕切パネルへの係合用パネルジョイントの装着が容易となり、好ましい。
【０００９】
さらに、隣接する間仕切パネルにおいて、前記軸伸縮機構の操作部を互いに反対表面に位置するように配設すれば、隣接する間仕切パネル同士を０°又は３６０°に折り畳む際に、いずれの方向にも折り畳むことが容易となる。
【００１０】
【発明の実施の形態】
以下、本発明の間仕切パネルの連結構造の実施例について図面を参照して説明する。
図１は本発明の間仕切パネルの連結構造を用いた間仕切壁の側面図、図２は間仕切パネルの連結構造を示す側面図、図３は図２のIII −III 線断面図、図４は図２のIV−IV線断面図、図５は図２のV −V 線断面図、図６は間仕切パネルの構造を示す斜視図、図７は図６のVII −VII 線断面図、図８は図６のVIII−VIII線断面図、図９（Ａ）は軸伸縮機構の側面図、（Ｂ）は正面図、図１０（Ａ）は軸伸縮機構の伸縮軸の最も伸びた状態を示す正面図、（Ｂ）は最も縮んだ状態を示す正面図、図１１は軸案内部材の斜視図、図１２は係合用パネルジョイントを示す斜視図、図１３は支持用パネルジョイントを示す斜視図である。
【００１１】
本発明の間仕切パネルの連結構造を適用した間仕切壁１は、図１乃至図７に示すように、複数の間仕切パネル２、２・・をパネル側面２１，２１を対向させるように並設し、隣接する間仕切パネル２，２を係合用パネルジョイント３及び支持用パネルジョイント４を介して回動自在に連結し、室内空間（図示せず）を適宜形状に間仕切るようにしたものである。
【００１２】
間仕切パネル２は、間仕切りを行う室内空間の容積などを考慮して所定の幅及び高さに形成した適宜厚さの板状体であって、図６に示すように、表面板５、５の幅方向両側から側枠材６、６を装着して構成してある。
【００１３】
表面板５は、図６に示すように、合成樹脂、木材又は金属等からなる適宜厚さを有する板状体であって、両側端部には側枠材６と係合する係合段部５１を形成してある。
【００１４】
側枠材６は、図６に示すように、合成樹脂、木材又は金属等からなり、間仕切パネル２の板厚の略１／２の半径を有する円弧状曲面部６１を有する略Ｕ字状体であり、その両端部には表面板５の係合段部５１と係合する係合段部６２を形成してある。
【００１５】
側枠材６は、図１、図２及び図６に示すように、その高さ方向に略Ｕ字状を呈するジョイント配置用切欠部６３，６４，６４，６３を適宜間隔をおいて形成してある。
又、高さ方向中央部には、端部から矩形状に切り欠いた開口部６５を形成してある。
【００１６】
ジョイント配置用切欠部６３，６４の上側部及び下側部には、図２及び図６に示すように，適宜厚さの支持片６６，６６を内方に突設してあり、この支持片６６，６６にはＵ字状に切欠いた連結軸嵌挿溝６７，６７を形成し、これら連結軸挿通孔６７，６７に連結軸９を挿通し、ジョイント配置用切欠部６３，６４のそれぞれの支持片６６，６６間に連結軸９を嵌装してある。
【００１７】
又、側枠材６には、図２及び図８に示すように、その高さ方向中央部に、軸伸縮機構７の本体７１を嵌装可能な凹部６８ａを有するとともに、その上側部及び下側部に伸縮軸７２を案内する軸案内溝６８ｂを有する本体支持体６８を配設してある。
【００１８】
軸伸縮機構７は、図２乃至図５及び図９に示すように、本体支持体６８の凹部６８ａに嵌装した本体７１と、この本体７１の上下方に突出した伸縮軸７２，７２と、この伸縮軸７２，７２の上下端に連接し、係合用パネルジョイント３の係合溝３３，３４，３５に係合する係合軸７４，７４とからなる。
【００１９】
本体７１は、内部にギヤ機構を収納してあり、図９及び図１０に示すように、操作部７３の先端部に形成した係合部７３ａにクランク状のハンドル７５を係合し、このハンドル７５を時計回り、又は反時計回りに回して操作部７３を回転させると、伸縮軸７２が上下方向に伸縮するようになっている。
上下の伸縮軸７２，７２が上下方向に伸縮するストロークは、後述する係合用パネルジョイント３の厚さＴより大きく設定してある。
【００２０】
係合軸７４は、係合用パネルジョイント３の係合溝３３，３４，３５に係合する直径を有し、伸縮軸７２の上下端に螺着、接着等により固着してある。
なお、伸縮軸７２と係合軸７４とは、別体とせず、一体にしてもよい。
【００２１】
このような構成を有する軸伸縮機構７は、操作部７３を回転させることにより伸縮軸７２及び係合軸７４を上下方向に伸縮させることができるので、係合用パネルジョイント３との係合及びその解除を容易に行うことができる。
【００２２】
軸案内部材８は、図１１に示すように、合成樹脂又は金属等からなり、間仕切パネル２に挿入可能な厚みを有し、伸縮軸７２及び係合軸７４を案内する部材であって、一側面に案内溝８１を形成してある。
軸案内部材８は、上面８２又は下面８３を本体や７１の下面又は上面に当接させて配設してあり、これら当接面及び側枠材６の内側面と当接する側面を螺着、接着等により固着してある。
【００２３】
連結軸９は、図２に示すように、側枠材６の連結軸嵌挿溝６７に挿通し得る外径を有し、各ジョイント配置用切欠部６３，６４の上側部及び下側部に配設した支持片６６，６６の上下面間の長さと略同一の長さを有する胴部と、この胴部９１の両端部に形成した膨頭部とからなり、例えば、ボルト及びナット、リベット等によって構成することができる。
なお、連結軸９は、図示しないが、間仕切パネル２の上端部から下端部にまで至る長尺状に形成することもできる。
【００２４】
係合用パネルジョイント３は、合成樹脂又は金属等よりなり、図２、図３及び図１２に示すように、間仕切パネル２の板厚の略２倍の長さＬ及び板厚と略同一の幅Ｗと、側枠材６のジョイント配置用切欠部６３の幅と略同一の厚さＴとを有し、両側部には連結軸９を挿通する連結軸挿通孔３１，３１を形成してある。
又、両側面３２、３２を連結軸挿通孔３１を中心とする幅Ｗの略１／２の半径とした円弧状曲面に形成してあり、両側面３２，３２には、連結軸挿通孔３１，３１を中心として周方向に９０°間隔で前記係合軸７４と係合する係合溝３３，３４，３５を形成してある。
【００２５】
係合用パネルジョイント３は、間仕切パネル２への装着を容易とするために、幅方向中央部で２分割したジョイント分割体３６，３６より構成してあり、内側面３７，３７同士を当接させ一体化してある。
又、幅方向両側面には、締結用のボルトＣの頭及びナットＤを収容可能な凹部３８を形成するとともに、この凹部３８と同心に貫通孔３９を形成してある。
【００２６】
支持用パネルジョイント４は、図２、図４及び図１３に示すように、係合用パネルジョイント３と同様、合成樹脂又は金属等からなり、間仕切パネル２の板厚の略２倍の長さＬ及び側枠材６のジョイント配置用切欠部６４の高さと略同一の厚さＴとを有し、両側部には連結軸９を挿通する連結軸挿通孔４１，４１を形成してある。
【００２７】
支持用パネルジョイント４は、両側面の曲率半径を一定とした曲面状に形成してあり、連結軸挿通孔４１の中心から側面までの距離を、係合用パネルジョイント３の連結軸挿通孔３１の中心から係合溝３３，３４，３５の最深位置までの距離と略同一とし、係合軸７４を当接、支持する支持側面４２としてある。
【００２８】
支持用パネルジョイント４も、係合用パネルジョイント３と同様に、間仕切パネル２への装着を容易とするために、幅方向中央部で２分割したジョイント分割体４３，４３より構成してあり、内側面４４，４４同士を当接させ一体化してある。
さらに、幅方向両側面には、締結用のボルトＣの頭及びナットＤを収容可能な凹部４５を形成するとともに、この凹部４５と同心状に貫通孔４６を形成してある。
【００２９】
間仕切パネル２を構成するには、図１乃至図８に示すように、先ず、本体支持体６８の凹部６８ａに軸伸縮機構７の本体７１を嵌装するとともに、伸縮軸７２を軸案内溝６８ｂに挿入する。
【００３０】
次に、軸案内部材８を、案内溝８１に伸縮軸７２及び係合軸７４が案内させるように配設し、固着した後、表面板５、５の両側部の係合段部５１に側枠材６、６の係合段部６２を係合させ、螺着又は接着等により表面板５，５と側枠材６，６とを固着する。
ここで、側枠材６の開口部６５、すなわち、軸伸縮機構７の操作部７３は、隣接する間仕切パネル２，２において、互いに反対の表面に位置させる。
【００３１】
間仕切パネル２を連結するには、先ず、図１乃至図５に示すように、間仕切パネル２，２の側面２１，２１同士を対向させて並置し、隣接する間仕切パネル２、２の対向するジョイント配置用切欠部６３，６３及び６４，６４によってジョイント配置用空間を画成する。
【００３２】
次に、このジョイント配置用空間にそれぞれ係合用パネルジョイント３及び支持用パネルジョイント４を連結軸挿通孔３１，４１を形成する割溝３１ａ，４１ａを連結軸９の周面に沿わせるとともに、ジョイント分割体３６，３６及び４３，４３を間仕切パネル２の板厚方向両側から嵌着させる。
そして、ジョイント分割体３６，３６及び４３，４３をボルトＣ、ナットＤによって締結させ、間仕切パネル２，２を連結する。
【００３３】
かかる間仕切パネルの連結構造によれば、図１乃至図４に示すように、間仕切パネル２，２は係合用パネルジョイント３及び支持用パネルジョイント４を介して回動自在に連結され、隣接する間仕切パネル２，２間の為す角度を９０°毎に０〜３６０°に渡って適宜設定することができる。
すなわち、係合溝３４，３４に係合軸７４，７４を係合することにより、間仕切パネル２，２を直線状に設定することができ、操作部７３を回転させて係合軸７４，７４を縮長し、係合溝３４，３４から係合軸７４，７４を脱出させて、係合溝３３，３３又は３５，３５に係合軸７４，７４を係合することにより、隣接する間仕切パネル２、２間の為す角度を適宜設定することができ、間仕切パネル２，２のパネル表面２２，２２同士を当接させて折り畳むこともできる。
【００３４】
このような間仕切パネルの連結構造を有する間仕切り壁１は、図示はしないが、例えば室内空間壁面に沿ってスライド自在に形成した収納ボックス内に間仕切り壁１を収納して間仕切りユニットを構成すれば、間仕切りを行わない場合には間仕切壁１を折り畳んで収納ボックス内に収納しておくことができ、かつ収納ボックスを室内空間の隅部に位置させておくことができるので、室内空間の美観を損なうことがない。
また、間仕切りを行う場合には、間仕切りを行う場所まで収納ボックスを壁面に沿ってスライドさせ、収納ボックスから間仕切パネル２，２，・・・を取り出して直線状に間仕切壁１を形成したり、間仕切パネル２，２，・・・を矩形状に折曲させて間仕切壁１を形成することもでき、適宜形状で室内空間の間仕切りを行うことができる。
【００３５】
なお、本実施例においては、隣接する間仕切パネル２，２を上部及び下部に配設した２個の係合用パネルジョイント３，３及び２個の支持用パネルジョイント４，４によって連結してあるが、本発明はこれに限定されるものでなく、適宜個数の係合用パネルジョイント３、支持用パネルジョイント４を使用して、適宜個所において連結させればよい。
【図面の簡単な説明】
【図１】本発明の間仕切パネルの連結構造を用いた間仕切壁の側面図である。
【図２】間仕切パネルの連結構造を示す側面図である。
【図３】図２のIII −III 線断面図である。
【図４】図２のIV−IV線断面図である。
【図５】図２のV −V 線断面図である。
【図６】間仕切パネルの構造を示す斜視図である。
【図７】図６のVII −VII 線断面図である。
【図８】図６のVIII−VIII線断面図である。
【図９】軸伸縮機構の（Ａ）は側面図、（Ｂ）は正面図である。
【図１０】軸伸縮機構の伸縮軸の（Ａ）は最も伸びた状態を示す正面図、（Ｂ）は最も縮んだ状態を示す正面図である。
【図１１】軸案内部材の斜視図である。
【図１２】係合用パネルジョイントを示す斜視図である。
【図１３】支持用パネルジョイントを示す斜視図である。
【図１４】従来の間仕切壁の（Ａ）は使用状態を示す斜視図、（Ｂ）は間仕切パネルの連結構造を示す断面図である。
【符号の説明】
２      間仕切パネル
３      係合用パネルジョイント
３１    連結軸挿通孔
３３，３４，３５    係合溝
４      支持用パネルジョイント
４１    連結軸挿通孔
５      表面板
６      側枠材
６３，６４    ジョイント配置用切欠部
６６    支持片
６７    連結軸嵌挿溝
６８    本体支持体
６８ａ  凹部
６８ｂ  軸案内溝
７      軸伸縮機構
７１    本体
７２    伸縮軸
７３    操作部
７４    係合軸
８      軸案内部材
８１    案内溝
９      連結軸
【図１】
0003768740.tif 000002
【図２】
0003768740.tif 000003
【図３】
0003768740.tif 000004
【図４】
0003768740.tif 000005
【図５】
0003768740.tif 000006
【図６】
0003768740.tif 000007
【図７】
0003768740.tif 000008
【図８】
0003768740.tif 000009
【図９】
0003768740.tif 000010
【図１０】
0003768740.tif 000011
【図１１】
0003768740.tif 000012
【図１２】
0003768740.tif 000013
【図１３】
0003768740.tif 000014
【図１４】
0003768740.tif 000015